(57)【要約】  本発明は：−特に少なくとも部分的にまたはさらには全部合成材料で製造されている、第１の撚られていない芯部（７）と、第１の塗布要素とを備える第１の塗布部材、−第１の塗布部材の長さの少なくとも一部の上に撚られている第２の芯部（１０）と、第２の芯部により支持される第２の塗布要素とを備える第２の塗布部材を備える、睫毛および／または眉毛に製品を塗布するための塗布具を提供し、第１の塗布部材は、その長さの少なくとも一部の上に、第１の塗布部材上に第２の芯部を撚ることにより生じた螺旋形状を有する塗布具に関する。【選択図】図２
2013523247.tif 000002
【特許請求の範囲】
【請求項１】
睫毛および／または眉毛に製品を塗布するための塗布具（１）であって：
−特に少なくとも部分的にまたはさらには全部合成材料で製造されている、第１の撚られていない芯部（７）と、第１の塗布要素（８）とを備える第１の塗布部材（５）、
−前記第１の塗布部材（５）の長さの少なくとも一部の上に撚られている第２の芯部（１０；２０）と、前記第２の芯部により支持される第２の塗布要素（１１；２３）とを備える第２の塗布部材（６）、
を備え、
前記第１の塗布部材（５）が、その長さの少なくとも一部の上に、前記第２の芯部（１０；２０）を第１の塗布部材上に撚ることにより生じた螺旋形状を有する、
前記塗布具（１）。
【請求項２】
前記第２の芯部（１０）が少なくとも１本の金属ストランド（１０ａ、１０ｂ）を備える、請求項１に記載の塗布具。
【請求項３】
前記第２の芯部（１０）が、長さの少なくとも一部の上に、互いに撚り合わせられた２本の金属ストランド（１０ａ、１０ｂ）を備え、前記第２の塗布要素（１１）が、このようにして撚り合わされた前記金属ストランド（１０ａ、１０ｂ）間に締着された毛を備える、請求項２に記載の塗布具。
【請求項４】
前記第２の塗布部材（２０）が、構造金属ストランド（２２）を被覆する合成材料製のシース（２１）と、前記シース（２１）により支持される前記第２の塗布要素（２３）とを備える、請求項２に記載の塗布具。
【請求項５】
前記第１の塗布要素（８）が前記第１の芯部（７）と一体に成形された歯を備える、請求項１〜４のいずれか１項に記載の塗布具。
【請求項６】
前記第２の塗布部材（６）が完全に前記第１の塗布部材（５）の外側にある、請求項１〜５のいずれか１項に記載の塗布具。
【請求項７】
前記第２の芯部（１０；２０）が、その長さの一部の上に、前記第１の芯部（７）の内側に延在している、請求項１〜５のいずれか１項に記載の塗布具。
【請求項８】
前記第２の芯部（１０；２０）が折り重ねられ、それぞれが前記第１の塗布部材（５）に沿って延在している２つの分岐（１２、１３；２４、２５）を形成する、請求項１〜７のいずれか１項に記載の塗布具。
【請求項９】
前記第２の塗布要素（１１；２３）が前記分岐（１２、１３；２４、２５）のそれぞれの上に配置されている、請求項８に記載の塗布具。
【請求項１０】
前記第１の芯部（７）の捩れの程度が３〜１０回転である、請求項１〜９のいずれか１項に記載の塗布具。
【請求項１１】
前記第１の塗布部材（５）が４列の第１の塗布要素（８）を備え、前記第２の塗布部材（６）が、その長さの少なくとも一部の上に、隣接する２列の第１の塗布要素（８）間において延在している、請求項１〜１０のいずれか１項に記載の塗布具。
【請求項１２】
前記第１の撚られていない芯部が単一のストランドで構成されている、請求項１〜１１のいずれか１項に記載の塗布具。
【請求項１３】
前記螺旋形状が、前記撚りのピッチ（Ｐ２）の２倍より大きいピッチ（Ｐ１）を有する、請求項１〜１２のいずれか１項に記載の塗布具。
【請求項１４】
−請求項１〜１３のいずれか１項に記載の塗布具（１）と、
−睫毛または眉毛に塗布される化粧品、特にマスカラと、
を備える包装および塗布具の組み合わせ。
【請求項１５】
請求項１〜１３のいずれか１項に記載の塗布具の製造方法であって：
−前記第２の塗布部材（６）の前記芯部（１０；２０）の少なくとも一部を前記第１の塗布部材（５）の少なくとも一部に沿って配置する工程と、
−前記第１の塗布部材（５）の芯部（７）の螺旋形状が生じるように、前記第１の塗布部材上に前記第２の塗布部材（６）の芯部（１０；２０）を撚る工程と、
を含む、方法。
【請求項１６】
−前記第１の塗布部材（５）上に撚られる前に、前記第２の芯部（１０；２０）をピンのように折り畳む、
請求項１５に記載の方法。
【請求項１７】
前記第２の芯部（１０）が、撚り合わされた２本の金属ストランド（１０ａ、１０ｂ）を備え、前記第２の塗布要素の全部または一部を形成する毛（１１）を支持し、前記第２の芯部（１０）を前記第１の塗布部材（５）上に配置し、そして前記第１の塗布部材（５）上に撚る前に、前記第２の塗布部材（６）の包絡面を形成する操作を毛に施す、請求項１５または１６に記載の方法。
【発明の詳細な説明】
【技術分野】
【０００１】
本発明の対象は、睫毛および／または眉毛に製品を塗布するための塗布具である。
【背景技術】
【０００２】
国際公開第２００７／１２５２０７号パンフレットは、核から延びる突起の形態の塗布要素を支持する複数の核が通されている、ピンのように湾曲した芯部を備える塗布具を記載している。塗布要素が螺旋層を形成するように、芯部の２つの分岐が撚られている。このような塗布具では、使用者は塗布要素を１種類しか有していない。
【０００３】
米国特許第７０９６９３６号明細書は、第１の塗布部材と第２の塗布部材とを備える塗布具を開示している。各塗布部材は、芯部の金属ストランド間に締着された毛を備える撚られた芯部を備え、２つの塗布部材が撚り合わされている。このような塗布具は、１種類の塗布要素しか提供せず、第２の芯部を撚ることにより生じる螺旋形状を有する、撚られていない芯部を提供しない。
【０００４】
仏国特許第２９０６１１６号明細書は、毛を有するスリーブが被せられている、フロック加工された芯部を開示しており、スリーブは、芯部のフロックを圧縮する、または芯部のフロックの方向を変える。スリーブが前記芯部に被せられるとき、フロック加工された芯部の螺旋形状は存在しない。
【発明の概要】
【発明が解決しようとする課題】
【０００５】
特に、使用者が、同一の塗布具を用いて睫毛または眉毛に対して様々な動作を行うことができるように、塗布具をさらに改良する必要がある。
【０００６】
また、例えば、異なる化粧結果を得るために、または化粧に仕上げを施すために、塗布要素の配向および性質に関して新たな可能性を提供する塗布具を有し得ることも望ましい。
【課題を解決するための手段】
【０００７】
本発明の例示的実施形態は：
−特に少なくとも部分的にまたはさらには全部合成材料で製造されている、第１の撚られていない芯部と、第１の塗布要素とを備える第１の塗布部材、
−第１の塗布部材の長さの少なくとも一部の上に撚られている第２の芯部と、第２の芯部により支持される第２の塗布要素とを備える第２の塗布部材、
を備える、睫毛および／または眉毛に製品を塗布するための塗布具を提供し、
第１の塗布部材は、その長さの少なくとも一部の上に、第１の塗布部材上に第２の芯部を撚ることにより生じた螺旋形状を有する。
【０００８】
「第１の撚られていない芯部」は、少なくとも２本の金属ストランドを撚り合わせる以外の方法で形成された芯部であると理解すべきである。第１の芯部は、例えば、材料を射出成形することにより製造される。
【０００９】
第１の芯部は、例えば、熱可塑性樹脂で製造されており、それはエラストマーであっても、またはエラストマーでなくてもよい。それはまた、熱可塑性樹脂以外のエラストマーであっても、または注型樹脂であってもよい。
【００１０】
第１の芯部は、単一のストランドで構成されてもよい。
【００１１】
撚りのピッチは２ｍｍ未満であってもよく、捩れのピッチは撚りのピッチの２倍より大きくても、より好ましくは３倍より大きくても、さらにより好ましくは４倍より大きくてもよい。
【００１２】
本発明は第１の塗布要素と第２の塗布要素からなる複数の塗布要素を備える塗布具を有することを可能にし、第２の塗布部材が第１の塗布部材上に撚られるため、第２の塗布要素は非常に様々な構成に配置することができる。塗布要素の全部または一部は、塗布具の長手方向軸を中心とする螺旋層に配置されてもよい。
【００１３】
第１の塗布部材上に第２の芯部を撚ることにより、第１の芯部の螺旋形状が生じることがある。
【００１４】
さらに、第１の塗布部材上に第２の塗布部材を撚るため、本発明は、第１の塗布部材を製造するために比較的簡単な幾何学的形状の金型を使用しながらも、第１の塗布部材が複雑な形状を得ることを可能にする。
【００１５】
第２の塗布部材を第１の塗布部材上に撚るため、第２の塗布部材の少なくとも一部は第１の塗布部材に沿って延び、その長手方向軸が直線状ではなく、好ましくは実質的に螺旋状になっている。
【００１６】
第２の芯部は、少なくとも１本の金属ストランドを備えてもよい。第２の芯部は、例えば、長さの少なくとも一部の上に撚り合わされた２本の金属ストランドを備える。第２の塗布要素は、現在市販されているマスカラブラシの大部分の場合のように、このようにして撚り合わされた金属ストランド間に締着された毛を備えてもよい。
【００１７】
従って、撚られた芯部を有し、異なる種類の毛、および毛を形成するための異なる操作を有する従来のマスカラブラシを製造するための現在広く用いられている方法を適用することにより、第２の塗布部材を製造してもよい。
【００１８】
毛は、例えば、少なくとも２種類の異なる毛で形成されてもよく、これらの種類は、例えば、毛の直径、その断面形状、それらを製造する材料、またはそれらの自由端と第２の芯部との間で測定されるそれらの個々の長さなどが異なる。
【００１９】
本発明の塗布具は、塗布要素として、取り付けられた毛と成形された歯を同時に有し、毛と歯の使用に特有の利点から使用者が利益を得ることを可能にすることができる。
【００２０】
毛は、例えば、製品を付着させる能力に関して選択され、例えば、数が多くて細く、またはさらにはフロック加工されており、他方、歯は、毛より剛性が大きいため、睫毛を分離する能力に関して選択されてもよい。
【００２１】
第２の塗布部材の存在により、特に、第２の塗布部材が塗布要素として毛を備える場合、第１の塗布部材の塗布要素の数が比較的少ないことを補償することが可能になり得る。一般に、従来の芯部を有するマスカラブラシでは、「螺旋効果」、即ち、毛が螺旋層に編成される傾向を低減することが求められることがある。第２の塗布部材の存在に伴う捩れは、第１の塗布要素の螺旋層の形成を引き起こすことがあるが、これらの第２の塗布要素の存在により、塗布要素の量がさらに多くなることから利益を得、また、特に螺旋層間に塗布要素を有することが可能となる。
【００２２】
第２の芯部の金属ストランドの直径は、例えば、０．３〜１ｍｍである。第２の塗布部材の芯部の嵩を低減し、それを第１の塗布部材上に撚る操作を容易にするために、円形または非円形の断面を有する小径のストランドを使用することが好ましいことがある。第２の芯部は、例えば、ステンレス鋼製である。
【００２３】
第２の塗布部材はまた、構造金属ストランドを被覆する合成材料のシースを備えてもよく、この変形形態では、第２の塗布要素はシースにより支持されてもよく、例えば、シースと一緒に成形された歯であってもよい。このとき、幾つかの比較的剛性の高い塗布要素と他の比較的可撓性の高い塗布要素を塗布具上に同時に有するようにするために、第２の塗布部材の歯の製造に、第１の塗布部材の塗布要素の製造に使用されるものとは異なる熱可塑性樹脂を使用する価値がある場合がある。
【００２４】
第１の塗布要素は、第１の芯部と比較して突出してもよい。
【００２５】
第１の塗布要素は、第１の芯部と一体に成形された歯を備えてもよい。一変形形態として、第１の塗布要素は、第１の芯部上にオーバーモールドされるか、または他の方法でそれに取り付けられ、これにより歯の製造に異なる材料を使用することが可能となる。
【００２６】
第２の塗布部材は、完全に第１の塗布部材の外側にあってもよい、即ち、第２の芯部は常に第１の芯部の外側にある。
【００２７】
一変形形態として、第２の芯部は、その長さの一部の上に、第１の芯部の内側に延び、例えば、第１の塗布部材に挿入係合された分岐を備える。
【００２８】
製造中、第２の芯部は折り重ねられ、それぞれが第１の芯部に沿って延びる２つの分岐を形成してもよく、分岐は両方とも第１の芯部の外側にあっても、または第１の芯部の外側になくてもよい。第２の塗布要素は、分岐のそれぞれに存在してもよい。一変形形態として、一方の分岐だけが、その長さの全部または一部の上に、第２の塗布要素を支持し、他方の分岐は第１の芯部の外側にあっても、または第１の芯部の外側になくてもよい。
【００２９】
第２の塗布部材を第１の塗布部材上に撚る前に、第１の芯部は少なくとも部分的に第２の芯部の２つの分岐間に配置されてもよい。一変形形態として、前記撚りの前に、第２の芯部の分岐の一方は、その長さの少なくとも一部の上に、第１の芯部の内側に延びる。
【００３０】
第１の芯部の捩れの程度は、例えば、３〜１０回転、特に５〜８回転である。「第１の芯部の捩れ」は、第１の芯部の長手方向軸を中心とする第１の芯部の断面の回転であると理解すべきであり、長手方向軸は直線状であっても、または曲線状であってもよい。捩れの程度は、断面が回転した角度を示す。
【００３１】
第１の塗布要素の数は２〜２２０であってもよい。第１の塗布要素の高さは０．５〜８ｍｍ、好ましくは４ｍｍであってもよい。
【００３２】
第１の塗布部材は４列の第１の塗布要素を備えてもよく、第２の塗布部材は、その長さの少なくとも一部の上に、隣接する２列の第１の塗布要素間に延びてもよい。
【００３３】
一変形形態として、第１の塗布部材は、異なる列数の第１の塗布要素、例えば、２列または３列、好ましくは偶数列の第１の塗布要素を備えてもよい。
【００３４】
一列の第１の塗布要素内で、第１の塗布要素の基部は一直線に並んでいるか、または千鳥状に偏位しているか、または他の方法で配置されており、その間隔は一定であっても、または一定でなくてもよい。
【００３５】
第２の塗布部材は、第２の芯部を第１の塗布部材上に締着するだけで、または、一変形形態として、接着、溶接することにより、または取り付けられる保持手段を用いて、第１の塗布部材上に保持されてもよい。
【００３６】
第２の芯部の２つの分岐は、それらの自由端が撚り合わせられてもよく、撚り合わされた端部は軸部の同じ穴に固定され、第１の塗布部材を保持してもよい。
【００３７】
一変形形態として、各分岐の自由端は、他方の分岐の自由端とは別々に軸部に固定される。
【００３８】
他の変形形態として、第１の芯部は、第２の芯部の分岐の自由端と共に軸部に固定される延長部を備える。
【００３９】
本発明の他の例示的実施形態は、
−前述の塗布具と、
−睫毛または眉毛に塗布される化粧品、特にマスカラと、
を備える包装および塗布用具を提供する。
【００４０】
製品は、塗布具が装着される容器に収容されてもよい。この容器は、好ましくは、軸部と２つの塗布部材を払拭するための払拭部材を装備している。容器は、ねじを設けた首部を備えてもよく、それに塗布具が螺合される。この首部に払拭部材が固定されてもよい。
【００４１】
本発明の他の例示的実施形態は、前述の塗布具の製造方法を提供し、本方法は：
−第２の塗布部材の芯部の少なくとも一部を第１の塗布部材の少なくとも一部に沿って配置する工程と、
−第１の塗布部材の芯部の螺旋形状が生じるように、第１の塗布部材上に第２の塗布部材の芯部を撚る工程と、
を含む。
【００４２】
遠位端の方に移動するとき、第１の芯部の少なくとも１つの捩れた部分が右巻のピッチを有するように、第２の塗布部材を第１の塗布部材上に撚ってもよい。一変形形態として、第１の芯部の少なくとも一部が左巻のピッチを有するように、第２の塗布部材を第１の塗布部材上に撚る。他の変形形態として、第１の芯部の少なくとも一部が右巻のピッチで捩れ、少なくとも一部が左巻のピッチで捩れるように、第２の芯部の撚りを第１の塗布部材の２つの別個の部分で２つの異なる方向に行う。
【００４３】
本方法は、第２の芯部を第１の塗布部材上に撚る前に、第２の芯部をピンのように曲げる工程を備えてもよい。この場合、第２の芯部の２つの分岐は、第１の塗布部材の周囲に撚られてもよい。
【００４４】
分岐の一方は、他方の分岐が第１の塗布部材上に撚られる前に、第１の塗布部材の芯部に少なくとも部分的に挿通されてもよい。
【００４５】
第２の芯部は、第２の塗布要素の全部または一部を形成する毛を支持する撚り合わせらされた２本の金属ストランドを備えてもよい。毛は、第１の芯部の周囲全体に延びてもよい。第２の芯部が第１の塗布部材上に配置され、第２の芯部が第１の塗布部材上に撚られる前に、毛に適切な処理、例えば、第２の塗布部材の包絡面を形成する操作（例えば、機械加工による）処理が施されても、または施されなくてもよい。例えば、最終的に得られる塗布具において、塗布具の遠位部の毛の方が短くなるように、例えば、第２の塗布部材の特定の部分の毛の長さを短くすることが可能である。
【００４６】
また、枝分れまたは曲げを形成するため、毛に熱処理、端部の融着、研磨処理、または機械的衝撃を施すことも可能である。
【００４７】
第２の芯部が第１の塗布部材にできるだけ近接することを可能にするため、第１の塗布部材に押し当てられるように設計された側の第２の塗布部材の毛を剃ってもよい。
【００４８】
第１の塗布部材は、必要に応じて、その外面に、撚る前に第２の塗布部材を第１の塗布部材上に配置し易くする１つ以上の長手方向の溝を有するように製造されてもよい。第２の塗布部材の芯部は、例えば、第２の塗布部材が第１の塗布部材上に撚られる前に、第１の塗布部材の芯部の２つの長手方向の溝に受け入れられる。
【００４９】
撚りは冷間で行うことができ、第１の芯部は冷間で変形できるため、第１の芯部の捩れは撚り操作に伴って生じることができる。
【００５０】
本方法は、また、撚った後に得られる塗布具を第１の塗布部材の長手方向軸以外の少なくとも１つの軸、例えば、第１の塗布部材の長手方向軸に垂直な軸を中心として湾曲させ、これにより、例えば、２つの塗布部材によって形成される塗布ヘッドの長手方向軸が曲線状になるようにする、および／またはこのアセンブリを支持する軸部の長手方向軸とゼロ以外の角度をなすようにする工程を含んでもよい。
【００５１】
本発明の非限定的な例示的実施形態の以下の説明を読み、添付の図面を考察すると本発明をさらによく理解することができるであろう。
【図面の簡単な説明】
【００５２】
【図１】本発明の一例示的実施形態による塗布具の斜視概略図である。
【図２】図１の塗布具の塗布ヘッドを示す図である。
【図３ａ】第１の塗布部材上に撚る前の、第２の塗布部材の実施例を示す図である。
【図３ｂ】第１の塗布部材上に撚る前の、第２の塗布部材の実施例を示す図である。
【図４】撚る前の、第１の塗布部材上の所定の位置にある図３ａの第２の塗布部材を示す図である。
【図５】撚る前の、本発明による塗布具の実施例の断面図である。
【図６】第２の塗布部材の実施例の断面図である。
【図７】撚る前の、本発明による塗布具の実施例の断面図である。
【図８】撚る前の、本発明による塗布具の実施例の断面図である。
【図９】撚る前の、本発明による塗布具の実施例の断面図である。
【図１０】撚る前の、本発明による塗布具の実施例の断面図である。
【図１１】本発明の別の例示的実施形態による塗布具の塗布ヘッドの、図２に類似の図である。
【図１２】撚る前の第１の塗布部材上の所定の位置にある第２の塗布部材を示す、図４に類似の図である。
【図１３】塗布具の他の実施例の断面図である。
【図１４】塗布具の他の実施例の断面図である。
【図１５】塗布具の他の実施例の断面図である。
【図１６】撚りの場合のピッチを示す図である。
【図１７】捩れの場合のピッチを示す図である。
【発明を実施するための形態】
【００５３】
図１は、本発明の第１の実施形態による塗布具１を示す。この塗布具１は塗布ヘッド４を支持する軸部２を備え、軸部２はプラスチック製であり、図示するように軸Ｘに沿って実質的に直線状に延びてもよい。一変形形態として、軸部２は曲線状の長手方向軸に沿って延びてもよい。
【００５４】
軸部２は、第１の端部２ａが把持部材３に連結されている。把持部材３は、例えば、容器（図示せず）、例えば、マスカラを収容する容器の所定の位置に冠着され、容器を密閉するように構成されている。把持部材は、容器に装着されるように、例えば、容器の首部に螺合されるように構成された取り付けスカート部を備えてもよい。容器の首部は、塗布ヘッドの軸部２を払拭するための部材を支持してもよい。軸部２は円形の断面を有し、払拭部材に対向して配置される部分が縮径していてもまたは縮径していなくてもよい。
【００５５】
軸部２は、第１の端部２ａの反対側にある第２の端部２ｂが塗布ヘッド４に連結されている。
【００５６】
塗布ヘッド４は、図１に示すように、軸部の軸Ｘと同一の、直線状の長手方向軸に沿って延びてもよい。図示していない変形形態では、塗布ヘッド４は、軸部２の軸Ｘに対して斜めに延びる長手方向軸に沿って延びる。塗布ヘッド４は、曲線状の長手方向軸に沿って延びてもよい。
【００５７】
本発明による塗布ヘッド４は、第１の塗布部材５と第２の塗布部材６を備える。
【００５８】
図２に示すように、第２の塗布部材６は、第１の塗布部材５の少なくとも一部の上に少なくとも部分的に撚られており、この部分は、第２の塗布部材６の存在により生じる螺旋形状を有する。
【００５９】
第１の塗布部材４は、例えば、熱可塑性エラストマー材料、例えば、スチレンエチレンブタジエンスチレン（ＳＥＢＳ）、またはＨＹＴＲＥＬ（登録商標）などのエラストマーポリエステルで射出成形された芯部７を備える。
【００６０】
第２の塗布部材が撚られている芯部７の部分は捩られており、例えば、３〜１０°の捩れの程度を有する。塗布ヘッドの遠位端に面し、塗布ヘッドをその長手方向軸に沿って見る場合、およびこの端部から離れる場合、芯部７は、例えば、時計回り方向にまたは反時計回り方向に捩れている。
【００６１】
図１６は、撚り合わされており、それぞれが螺旋を形成する２本のストランドからなる芯部を示す。
【００６２】
撚りのピッチＰ２は、芯部の軸に対して垂直な平面内で同じ座標を有し、各ストランドに属する２つの連続した回転間で、芯部の軸に沿って測定される。換言すれば、ピッチＰ２は、２本のストランド間の軸方向での偏倚である。図１７は、捩れに付された芯部の概略図である。捩れにより断面の回転が生じる。芯部は、長手方向軸Ｚに沿って延びる。芯部は、例えば、正方形の断面を有する。例えば、芯部の断面の２辺に平行な特定のベクトルｖを図１７に示す。捩れのピッチＰ１は、断面の中心点を中心とするベクトルｖが完全に１回転するときに進む軸方向の距離である。例えば、軸Ｚに沿った異なる場所における芯部の２つの断面のベクトルｖが２Π／８の角度だけ回転した場合、芯部の長手方向軸Ｚに沿った前記異なる場所間の距離はＰ１／８である。「捩れのピッチ」の前述の例示的定義は、芯部の断面の形状にかかわらず有効である。
【００６３】
図２に示すように、第１の塗布部材４は複数の第１の塗布要素８を備え、第１の塗布要素８は、芯部７と同じ材料で成形する、または異なる材料で成形する（この場合、例えば、芯部７上にオーバーモールドする）ことにより、芯部７と一体に製造することができる。
【００６４】
図４、図５および図７〜図１０は、第２の塗布部材６を第１の塗布部材５上に撚る前の塗布ヘッド４の実施例を示す。
【００６５】
これらの実施例では、第１の塗布要素８は、最初は、芯部７の周囲に均一に分布した列に配置されているが、変形形態では、第１の塗布要素は他の方法で配置されている。各列内で、塗布要素間の間隔は一定であってもよい。塗布要素は対になるようにまとめられてもよい。
【００６６】
第１の塗布部材の隣接する２列の塗布要素は、塗布ヘッドの長手方向軸に沿ったピッチが異なっていても、または異なっていなくてもよく、ピッチは１列内の２つの連続した塗布要素間の間隔を示す。他の変形形態では、ピッチは列に沿って変化してもよい。各列は同一数の塗布要素を備えてもよく、変形形態として、異なる数の塗布要素を備えてもよい。１列以上の中で、塗布要素の基部は、一直線に配列されていても、または千鳥状に配置されていてもよい。
【００６７】
同一列の毛が、異なる形状を有してもよい。前記と組み合わせて、または前記と独立して、毛の形状は各列毎に異なってもよい。
【００６８】
また、第１の塗布部材の塗布要素を列状に配置しないことも可能である。
【００６９】
第１の芯部は、円形または他の断面、例えば、十字形、多角形または楕円形の断面を有してもよい。
【００７０】
図示する実施例では、第１の塗布要素８の高さは一定であるが、図示していない変形形態では、第１の芯部７に沿って移動する時、塗布要素８の高さは単調に変化しても、または単調に変化しなくてもよい。
【００７１】
図３〜図８の実施例では、第１の塗布要素８は第１の芯部７の周囲に４列に配置されており、隣接する２列はそれらの間に９０°の角度をなしている。第１の芯部７は、図示するように十字形の断面を有してもよい。
【００７２】
一変形形態として、図９および図１０に示すように、第１の塗布要素８は第１の芯部７上の直径方向反対側にある２列に配置される。
【００７３】
本発明は、特定の列数の第１の塗布要素８に限定されるものではない。
【００７４】
図２〜図１０に示すように、第２の塗布部材６は第２の芯部１０を備えてもよく、第２の芯部１０は、長さ全体の上に撚り合わされた２本の金属ストランド１０ａ、１０ｂからなってもよい。
【００７５】
別の変形形態では、２本の金属ストランド１０ａ、１０ｂはそれらの長さの一部だけの上に撚り合わされている。各金属ストランドの直径は、例えば、０．３〜１ｍｍである。２本のストランド１０ａ、１０ｂは、同一の金属ワイヤ、例えば、ステンレス鋼製のワイヤを折り重ねて作られてもよい。
【００７６】
図示するように、第２の芯部１０は、図２〜図１０の実施例ではストランド１０ａ、１０ｂ間に締着された毛である第２の塗布要素１１を支持する。毛は、例えば、合成または天然材料、例えば、ポリアミドまたはＨｙｔｒｅｌ（登録商標）で製造されている。
【００７７】
第２の塗布要素１１、特に毛は、第２の芯部１０により、その長さの一部だけにわたって支持されてもよい。一変形形態として、第２の塗布部材６は、第２の芯部１０の長さ全体の上に第２の塗布要素１１を備える。撚られた芯部を有するマスカラブラシの従来の製造方法を使用して、第２の塗布部材を製造してもよい。
【００７８】
第１の塗布部材５上に撚る前の第２の塗布部材６の断面を単独で示す図６に示すように、毛１１を、例えば、切断器具で処理し、毛１１が第２の芯部１０の周囲に均一に延びないようにしてもよい。図示する実施例では、毛の一部を剃り、このようにして剃られた側は、塗布ヘッド４が製造された後、第１の塗布部材５に面する。
【００７９】
図３ａ、図３ｂ、および図４に示すように、第２の芯部１０を、例えば、実質的にその中央で、ピンのように折り曲げ、２つの分岐１２および１３を形成してもよい。図５の実施例におけるように、分岐１２だけが第２の塗布要素を支持し、分岐１３は何も有していなくてもよい。
【００８０】
一変形形態として、例えば、図７に示すように、第２の塗布要素１１は芯部１０の分岐１２および１３のそれぞれにより支持される。
【００８１】
図３ｂの実施例では、２つの分岐１２および１３は、芯部の周囲全体で毛を支持する折り曲げられたブラシにより形成される。
【００８２】
第２の塗布部材６は、例えば、図４、図５、図７、図９および図１０に示すように、第１の塗布部材５の外側にある。これらの実施例では、第２の芯部１０は、第１の芯部７と比較して外側に配置されている。一変形形態として、第２の芯部１０の一部は、第１の塗布部材５の内側に延びてもよい。
【００８３】
図８の実施例におけるように、第２の塗布部材の分岐１３は、その長さの少なくとも一部の上に、第１の芯部７の中に設けられた空洞１５内に、例えば、中心に配置されている。空洞１５は、例えば、成形により製造される。好ましくは、空洞に係入された分岐１３は、その嵌合を妨げないように、塗布要素を支持していない。
【００８４】
図４に示すように、第２の塗布部材６を第１の塗布部材５上に取り付けられた後、撚り操作の前に、第２の芯部１０の分岐１２および１３のそれぞれを、第１の塗布要素８の隣接する２列間に配置してもよい。次いで、第２の塗布部材６の２つの分岐１２および１３を撚り、それにより前述のように第１の芯部７の捩れが生じる。
【００８５】
第２の塗布部材６を第１の塗布部材５上に撚ることにより、第１の塗布要素１１の形状は変化しなくてもよく、例えば、それは直線状のままであってもよい。一変形形態として、撚ると、例えば、第２の塗布部材との接触のため第１の芯部７上に塗布要素を層状に配置することにより、塗布要素１１の少なくとも幾つかの形状が変化し得る。
【００８６】
ここで図１１〜図１５を参照し、本発明の別の例示的実施形態による塗布具１を説明する。
【００８７】
この塗布具１は、第２の塗布部材６が、毛を締着する第２の撚られた芯部１０ではなく、第２の芯部２０の構造要素の役割を果たす金属ワイヤ２２上に合成材料のシース２１を成形または押出成形することにより製造される第２の芯部２０を有するという点が、図１〜図１０を参照して説明したものと異なる。
【００８８】
図１１に示すように、この第２の芯部１０は、その長さの全部または一部の上に、第２の塗布要素２３を支持し、第２の塗布要素２３は歯であってもよい。これらの歯は、合成シース２１と一体に成形することにより製造されてもよく、または一変形形態として、このシース２１上に同じまたは異なる材料でオーバーモールドされてもよい。歯２３は、第２の芯部２０に沿って移動するとき、同じサイズを有してもよい。一変形形態として、それらの寸法の少なくとも１つ、例えば、それらの高さは、第２の芯部２０に沿って、単調に変化する、または単調に変化しない。
【００８９】
第２の芯部２０により支持される歯２３は、第１の芯部７により支持される歯８と同じ寸法を有してもよい。一変形形態として、歯２３は歯８より大きいまたは小さい。別の変形形態として、塗布ヘッド４は、歯２３が歯８より大きい部分と、歯２３が歯８より小さい部分とを備える。構造金属ワイヤ２２の断面は、円形または多角形、例えば、長方形または別の形状であってもよい。
【００９０】
前述のものと同様に、塗布ヘッド４の製造中、第２の芯部２０を、例えば、実質的にその中央で、ピンのように折り曲げて、２つの分岐２４および２５を形成してもよい。既にピンのような形状にされた金属ワイヤ上に第２の芯部２０を成形してもよい。
【００９１】
図１２は、分岐２４および２５を第１の塗布部材上に撚る前の、塗布ヘッド４を示す。
【００９２】
第２の芯部２０の各分岐２４および２５が第１の塗布要素８の隣接する２列間に配置されるように、第２の塗布部材６を第１の塗布部材５上に取り付けられてもよい。
【００９３】
次いで、第１の芯部７上に捩れを与えるように、第２の塗布部材６の２つの分岐２４および２５を撚ってもよい。これにより、第１の塗布要素と第２の塗布要素とからなる塗布要素の螺旋層が得られる。第１の塗布要素と第２の塗布要素は、例えば、硬さおよび／または表面外観に関して異なる特性を有するように、同一の材料で製造されてもまたは異なる材料で製造されてもよい。
【００９４】
塗布要素２３は、図１４に示すように、分岐２４だけで支持されてもよい。一変形形態として、図１３に示すように、第２の芯部２０の各分岐２４および２５は歯２３を支持する。
【００９５】
分岐が歯を支持していない場合、構造ワイヤはシースにより被覆されてもよい。
【００９６】
別の変形形態として、第２の塗布部材は、折り重ねたれた金属ワイヤを備え、その分岐の一方だけがシースと歯で被覆され、他方の分岐は第１の塗布部材の芯部に裸で挿入されるかまたはこの芯部の外側にある。
【００９７】
本発明は、今説明した実施例に限定されるものではない。
【００９８】
例えば、材料を成形することにより製造された全ての種類の第１の塗布部材を、第１の塗布部材上に撚られるマスカラブラシからなる全ての種類の第２の塗布部材と一般的な方法で組み合わせることが可能である。
【００９９】
第１の塗布部材は軸部上に取り付けられても、または軸部と一体に成形されてもよい。第２の塗布部材は軸部に固定されても、または軸部に固定されなくてもよい。
【０１００】
一変形形態として、軸部は、戻し手段により容器内で後退し、製品の塗布時に容器に固定されたままになっていてもよい。
【０１０１】
容器に、軸部と塗布ヘッドを払拭するための任意の種類の部材が装備されてもよく、この部材は、エラストマーリップで調節可能であってもまたは調節可能でなくてもよく、エラストマーリップは波形になっていてもまたは波形になっていなくてもよく、分割されていてもまたは分割されていなくてもよい。
【０１０２】
塗布ヘッドは、弾性変形可能な可撓性部分により軸部に連結されていてもよい。
【０１０３】
塗布具は、必要に応じて、振動源を備えてもよく、および／または回転式および／または加熱式であってもよい。特に、第２の塗布部材は、第１の加熱塗布部材上に撚られてもよい。
【０１０４】
第１の塗布部材と第２の塗布部材の色は異なっていてもよい。
【０１０５】
「１つの〜を備える」という表現は、特記しない限り、「少なくとも１つの〜を備える」と同義であるものと理解すべきである。
【図１】
2013523247.tif 000003
【図２】
2013523247.tif 000004
【図３ａ】
2013523247.tif 000005
【図３ｂ】
2013523247.tif 000006
【図４】
2013523247.tif 000007
【図５】
2013523247.tif 000008
【図６】
2013523247.tif 000009
【図７】
2013523247.tif 000010
【図８】
2013523247.tif 000011
【図９】
2013523247.tif 000012
【図１０】
2013523247.tif 000013
【図１１】
2013523247.tif 000014
【図１２】
2013523247.tif 000015
【図１３】
2013523247.tif 000016
【図１４】
2013523247.tif 000017
【図１５】
2013523247.tif 000018
【図１６】
2013523247.tif 000019
【図１７】
2013523247.tif 000020
【国際調査報告】
2013523247.tif 000021
2013523247.tif 000022
2013523247.tif 000023